(57)【要約】      （修正有）【課題】展示会に参加した業者が観覧客に提供するカタログをオンラインで提供するためのデジタル情報ディスプレイを用いた電子カタログオンラインサービス提供システムを提供する。【解決手段】製品の広報のコンテンツを再生し観覧客１０に当該サービスを提供するためのディスプレイ３００、業者の当該サービスのために、既に完成された電子カタログファイルが格納され、上記ディスプレイ３００との有無線ネットワークによって電子カタログ伝送要請に応じて電子カタログを伝送するための電子カタログサービス運営サーバー１００、当該運営サーバー１００に当該サービスを申し込むための参加業者端末機２００を含む。【選択図】図１
2011227895.tif 000002
【特許請求の範囲】
【請求項１】
展示会に参加した業者らが広報のために観覧客に提供するカタログをオンラインで提供するためのデジタル情報ディスプレイを用いた電子カタログオンラインサービス提供システムにおいて、
製品の広報に必要なコンテンツを再生するとともに前記展示会の前記観覧客に電子カタログオンラインサービスを提供するための前記デジタル情報ディスプレイと、
前記業者らの前記電子カタログオンラインサービスのために、前もって完成された電子カタログファイルが格納され、前記デジタル情報ディスプレイとの有無線ネットワークによって電子カタログ伝送要請に応じて電子カタログを伝送するための電子カタログサービス運営サーバーと、
前記電子カタログサービス運営サーバーに前記電子カタログオンラインサービスを申し込むための参加業者端末機とを含むことを特徴とするデジタル情報ディスプレイを用いた電子カタログオンラインサービス提供システム。
【請求項２】
前記電子カタログをウィジェットプログラムによってダウンロードすることができるようにし、展示会情報を実時間で提供するウィジェットプログラム運営サーバーをさらに含むことを特徴とする請求項１に記載のデジタル情報ディスプレイを用いた電子カタログオンラインサービス提供システム。
【請求項３】
前記電子カタログサービス運営サーバーは、電子カタログオンライン伝送要請に応じて発送した電子カタログ伝送結果情報を前記参加業者端末機に伝達することを特徴とする請求項１に記載のデジタル情報ディスプレイを用いた電子カタログオンラインサービス提供システム。
【請求項４】
前記電子カタログを製作して前記電子カタログサービス運営サーバーに提供するための電子カタログ製作サーバーをさらに含むことを特徴とする請求項１に記載のデジタル情報ディスプレイを用いた電子カタログオンラインサービス提供システム。
【請求項５】
前記電子カタログオンラインサービスの申し込みによって前記電子カタログをダウンロードするための使用者端末機をさらに含むことを特徴とする請求項１に記載のデジタル情報ディスプレイを用いた電子カタログオンラインサービス提供システム。
【請求項６】
前記電子カタログは前記電子カタログサービス運営サーバーから前記使用者端末機にウィジェットプログラムによって伝送され、
前記ウィジェットプログラムの実行によって、前記電子カタログがダウンロードされるか、あるいはフラッシュ形式のファイル、ＰＤＦ又はイメージファイルとして伝送されることを特徴とする請求項５に記載のデジタル情報ディスプレイを用いた電子カタログオンラインサービス提供システム。
【請求項７】
前記デジタル情報ディスプレイは、
前記コンテンツを表示するためのディスプレイパネルと、
前記電子カタログオンラインサービスを申し込むために、電子メールを含む使用者情報が入力されるタッチスクリーンと、
カードを読み取って会員認証を行うためのマグネチックカードリーダーユニットまたはＲＦＩＤカードリーダーユニットとを含むことを特徴とする請求項１に記載のデジタル情報ディスプレイを用いた電子カタログオンラインサービス提供システム。
【請求項８】
前記デジタル情報ディスプレイは、名刺をスキャンして訪問客の情報をデータ化し、前記電子カタログを伝送する電子メール情報を読み出すための名刺リーダーユニットをさらに含むことを特徴とする請求項７に記載のデジタル情報ディスプレイを用いた電子カタログオンラインサービス提供システム。
【請求項９】
業者らの製品展示会のための展覧館で電子カタログ伝送サービスを提供するためのデジタル情報ディスプレイを用いた電子カタログオンラインサービス提供方法において、
デジタル情報ディスプレイで要請された電子カタログ伝送要請メッセージを電子カタログサービス運営サーバーに伝送し、
観覧客から前記デジタル情報ディスプレイに備えられたタッチスクリーンまたは名刺リーダーユニットによって電子カタログオンラインサービスのためのウィジェットプログラムを受ける電子メール情報を受け、
前記デジタル情報ディスプレイから受信された電子カタログオンラインサービス要請に応じて前記観覧客から受けた前記電子メール情報を用いて前記電子カタログオンラインサービスのための前記ウィジェットプログラムを伝送することを含むことを特徴とするデジタル情報ディスプレイを用いた電子カタログオンラインサービス提供方法。
【請求項１０】
前記観覧客が使用者端末機に組み込まれた前記ウィジェットプログラムによって申し込んだ電子カタログを受信することをさらに含むことを特徴とする請求項９に記載のデジタル情報ディスプレイを用いた電子カタログオンラインサービス提供方法。
【請求項１１】
前記電子カタログサービス運営サーバーが使用者端末機に電子カタログダウンロード及び展示情報を提供するための前記ウィジェットプログラムを伝送することをさらに含むことを特徴とする請求項９に記載のデジタル情報ディスプレイを用いた電子カタログオンラインサービス提供方法。
【請求項１２】
前記電子カタログサービス運営サーバーが使用者端末機への電子カタログオンライン伝送結果を参加業者端末機に伝送することをさらに含むことを特徴とする請求項９に記載のデジタル情報ディスプレイを用いた電子カタログオンラインサービス提供方法。
【請求項１３】
電子カタログ製作サーバーで完成された電子カタログを伝送サービスのために前記電子カタログ運営サーバーに伝送して格納することをさらに含むことを特徴とする請求項９に記載のデジタル情報ディスプレイを用いた電子カタログオンラインサービス提供方法。
【発明の詳細な説明】
【技術分野】
【０００１】
本発明は、デジタル情報ディスプレイを用いた電子カタログオンラインサービス提供システム及び方法に関する。より詳しくは、展覧館に設置されたデジタル情報ディスプレイ（Ｄｉｇｉｔａｌ Ｉｎｆｏｒｍａｔｉｏｎ Ｄｉｓｐｌａｙ、以下「ＤＩＤ」という）に、要請された電子カタログをオンライン上で観覧客に提供するためのデジタル情報ディスプレイを用いた、電子カタログオンラインサービス提供システム及び方法に関する。
【背景技術】
【０００２】
一般に展示場では、製品についての広告のためのカタログが備えられている。
【０００３】
カタログは印刷物であり、通常、広告対象の商品の前の机、または棚に備えられる。
【０００４】
このように、印刷物として提供されるカタログは、製作コストの負担を考慮して、多量に製作することができないこともある。
【０００５】
印刷業者は一定の基本数量で高い費用を提示しており、紙種及び印刷方法によって製作業者ごとに製作コストが一定でなく、また、カタログに付ける封筒などにより製作コストが上昇する。
【０００６】
限定されたカタログの数量によって、一日に配布されるカタログの数量が限定されている。展示会の初期にすべてのカタログが消尽された場合、残りの展示会期間にカタログを配布することができなくなる。新たにカタログを製作するとしても、追加印刷による製作期間のため、残りの展示会日程に合わせることができない問題点があり、追加製作期間内にはカタログが配布することができなくなる。
【０００７】
展示会が終わり、残ったカタログは後に営業用に活用することもある。しかし、新規製品などの追加情報などが発生すれば、残ったカタログを使うことができなくなり、これらの残ったカタログが結局廃棄処分されることもある。
【発明の概要】
【発明が解決しようとする課題】
【０００８】
本発明は前述したような問題点を解決するためになされたものである。本発明の目的は、展示場で観覧客にデジタル情報ディスプレイを用いて、展示会に参加した業者が提供するカタログをオンラインで提供することができるデジタル情報ディスプレイを用いた電子カタログオンラインサービス提供システム及び方法を提供することにある。
【０００９】
本発明の他の目的は、電子カタログをオンライン上でサービスするためのウィジェットプログラムによって、展示会のお知らせと電子カタログとを、いつでもどこでも提供することができるデジタル情報ディスプレイを用いた電子カタログオンラインサービス提供システム及び方法を提供することにある。
【課題を解決するための手段】
【００１０】
上記のような本発明の目的は、展示会に参加した業者（複数可）が広報のために観覧客に提供するカタログをオンラインで提供するためのデジタル情報ディスプレイを用いた電子カタログオンラインサービス提供システムにおいて、製品の広報に必要なコンテンツを再生するとともに展示会の観覧客に電子カタログオンラインサービスを提供するためのデジタル情報ディスプレイと、業者の電子カタログオンラインサービスのために、前もって完成された電子カタログファイルが格納され、デジタル情報ディスプレイとの有無線ネットワークによって電子カタログ伝送要請に応じて電子カタログを伝送するための電子カタログサービス運営サーバーと、及び電子カタログサービス運営サーバーに電子カタログオンラインサービスを申し込むための参加業者端末機とを含むことを特徴とする、デジタル情報ディスプレイを用いた電子カタログオンラインサービス提供システムによって達成される。
【００１１】
本発明によれば、電子カタログをウィジェットプログラムによってダウンロードすることができ、展示会情報を実時間で提供するウィジェットプログラム運営サーバーをさらに含むことができる。
【００１２】
本発明によれば、電子カタログサービス運営サーバーは、電子カタログオンライン伝送要請に応じて発送した電子カタログ伝送結果情報を参加業者端末機に伝達することができる。
【００１３】
本発明によれば、電子カタログを製作して電子カタログサービス運営サーバーに提供するための電子カタログ製作サーバーをさらに含むことができる。
【００１４】
本発明によれば、電子カタログオンラインサービス申し込みによって電子カタログをダウンロードするための使用者端末機をさらに含むことができる。
【００１５】
本発明によれば、電子カタログは電子カタログサービス運営サーバーから使用者端末機にウィジェットプログラムによって伝送され、ウィジェットプログラムの実行によって、電子カタログがダウンロードされるか、あるいはフラッシュ形式のファイル、ＰＤＦ、イメージファイルなどとして伝送されることができる。
【００１６】
本発明によれば、デジタル情報ディスプレイは、コンテンツを表示するためのディスプレイパネルと、電子カタログサービスを申し込むために、電子メールを含む使用者情報が入力されるタッチスクリーンと、及びカードを読み取って会員認証を行うためのマグネチックカードリーダーユニットまたはＲＦＩＤカードリーダーユニットとを含むことができる。
【００１７】
本発明によれば、デジタル情報ディスプレイは、名刺をスキャンして訪問客の情報をデータ化し、電子カタログを伝送する電子メール情報を読み出すための名刺リーダーユニットをさらに含むことができる。
【００１８】
また、上記のような本発明の目的は、業者らの製品展示会のための展覧館で電子カタログ伝送サービスを提供するためのデジタル情報ディスプレイを用いた電子カタログオンラインサービス提供方法において、デジタル情報ディスプレイで要請された電子カタログ伝送要請メッセージを電子カタログサービス運営サーバーに伝送することと、観覧客からデジタル情報ディスプレイに備えられたタッチスクリーンまたは名刺リーダーユニットによって電子カタログサービスのためのウィジェットプログラムを受ける電子メール情報を受けることと、及びデジタル情報ディスプレイから受信された電子カタログオンラインサービス要請に応じて観覧客から受けた該当電子メール情報を用いて電子カタログサービスのためのウィジェットプログラムを伝送することとを含むことを特徴とする、デジタル情報ディスプレイを用いた電子カタログオンラインサービス提供方法によって達成される。
【００１９】
本発明によれば、観覧客が使用者端末機に組み込まれたウィジェットプログラムによって申し込んだ電子カタログを受信することをさらに含むことができる。
【００２０】
本発明によれば、電子カタログサービス運営サーバーが使用者端末機に電子カタログダウンロード及び展示情報を提供するためのウィジェットプログラムを伝送することをさらに含むことができる。
【００２１】
本発明によれば、電子カタログサービス運営サーバーが使用者端末機への電子カタログオンライン伝送結果を参加業者端末機に伝送することをさらに含むことができる。
【００２２】
本発明によれば、電子カタログ製作サーバーで完成された電子カタログを伝送サービスのために電子カタログ運営サーバーに伝送して格納することをさらに含むことができる。
【発明の効果】
【００２３】
本発明のデジタル情報ディスプレイを用いた電子カタログオンラインサービス提供システム及び方法によれば、展示場で観覧客に、デジタル情報ディスプレイを用いて、展示会参加業者が広報のために提供するカタログを、オンラインで提供することができる電子カタログサービス申し込みを受け、オンラインで伝送する。このことで、カタログ製作コストを節減し、しかも完成されたカタログに対する追加事項記載などの修正作業が発生しても新たに印刷する必要がないという効果がある。
【００２４】
また、一人の観覧客が同時に多くの電子メールでの伝送を要請する場合、（多くのカタログを同時にオンラインで入手でき）広報効果を高めることができる効果がある。
【００２５】
そして、電子カタログサービスの利用のためのウィジェットプログラムによって消費者は、自分の端末機で実時間で展示会の情報及び各種ニュースを受けることができ、該当展示会の電子カタログをいつでもダウンロードすることができる効果もある。
【図面の簡単な説明】
【００２６】
【図１】本発明の実施例によるデジタル情報ディスプレイを用いた電子カタログオンラインサービス提供システムの構成図である。
【図２】本発明の実施例によるデジタル情報ディスプレイによって電子カタログを申し込むための流れを示す構成図である。
【図３ａ】本発明の実施例によるデジタル情報ディスプレイの形態の実施例を示す斜視図である。
【図３ｂ】本発明の実施例によるデジタル情報ディスプレイの形態の実施例を示す斜視図である。
【図４】本発明の実施例による展覧館のデジタル情報ディスプレイ運営のためのフローチャートである。
【図５】本発明の実施例による参加業者の電子カタログサービス活用のためのフローチャートである。
【図６】本発明の実施例による観覧客の電子カタログオンライン伝送申し込みのためのフローチャートである。
【図７】本発明の実施例によるデジタル情報ディスプレイを用いたオンライン伝送サービスのための提供業者（電子カタログ運営会社）のフローチャートである。
【発明を実施するための形態】
【００２７】
本明細書及び請求範囲に使用された用語または単語は通常の意味ないし辞書的な意味に限定して解釈されるべきではなく、発明者は自分の発明を最適の方法で説明するために用語の概念を適切に定義することができるという原則に従っており、本発明の技術的思想に合う意味と概念に解釈されなければならない。
【００２８】
よって、本明細書に記載された実施例と図面に示された構成は本発明の好適な一実施例に過ぎなく、本発明の技術的思想をすべて表現するものではないので、本出願の時点でこれらを取り替えることができる多様な均等物と変形例があり得ることを理解しなければならない。
【００２９】
以下、添付図面に基づいて本発明の好適な実施例を詳細に説明する。
【００３０】
ＤＩＤは銀行、デパート、ショッピングセンター、空港、ホテル、展示場などの室内及び室外で、該当設置場所に合う各種案内情報とともに広告、映像及び音響を提供するデジタルディスプレイ装置としての機能と同時に、広告掲示が可能な情報提供装置としての機能を持つ複合映像媒体である。ＲＦＩＤ（Ｒａｄｉｏ Ｆｒｅｑｕｅｎｃｙ Ｉｄｅｎｔｉｆｉｃａｔｉｏｎ）は、ＩＣチップと無線通信によって製品、食品、動物、事物などの多様な個体の情報を管理することができる次世代認識技術で、近年にはクレジットカード、交通カードなどの電子料金支払システムまたは出入統制システムに普遍的に利用される。
【００３１】
図１は、本発明の実施例によるデジタル情報ディスプレイを用いた電子カタログオンラインサービス提供システムの構成図である。図２は、本発明の実施例によるデジタル情報ディスプレイによって電子カタログを申し込むためのフロー示す構成図である。
【００３２】
業者らの製品展示会でＤＩＤを用いて電子カタログオンライン伝送サービスを提供するための電子カタログオンラインサービス提供システムは、製品広報のためのコンテンツ再生と展示会の観覧客に電子カタログオンライン申し込みサービスを提供するためのＤＩＤ３００と、業者らの電子カタログオンライン申し込みサービスのために前もって完成された電子カタログファイルが格納され、ＤＩＤ３００との有無線ネットワークを介して、電子カタログオンライン伝送要請に応えて電子カタログを伝送するための電子カタログサービス運営サーバー１００と、電子カタログサービス運営サーバー１００に電子カタログオンラインサービスを申し込むための参加業者端末機２００と、電子カタログを製作して電子カタログサービス運営サーバー１００に提供するための電子カタログ製作サーバー（図示せず）と、電子カタログオンラインサービス申し込みによって電子カタログをダウンロードするための使用者端末機（図示せず）と、電子カタログをウィジェットプログラムによってダウンロードすることができるようにし、展示会情報を実時間で提供するためのウィジェットプログラム運営サーバー（図示せず）とを含み構成される。
【００３３】
ウィジェットプログラム運営サーバーは電子カタログサービス運営サーバー１００の内部に属して構成され、あるいは別に構成されて、ウィジェットプログラムによって提供されるすべてのサービス管理のための業務を遂行するようにすることが好ましい。
【００３４】
電子カタログサービス運営サーバー１００は、電子カタログオンライン伝送要請に応じて発送した電子カタログの伝送結果情報を、参加業者端末機２００に伝送する。
【００３５】
電子カタログは、電子カタログサービス運営サーバー１００から使用者端末機にウィジェットプログラムの形態で伝送され、ウィジェットプログラムの実行によって電子カタログがダウンロードされ、あるいはフラッシュ形式のファイル、ＰＤＦ、イメージファイルなどとして伝送されるようにすることが好ましい。
【００３６】
電子カタログサービス運営サーバー１００とＤＩＤ３００は有無線ネットワークを介して連結され、修正された電子カタログを実時間で伝送してディスプレイすることができ、参加業者端末機２００による要請事項に直ちに対処することができる。
【００３７】
図１及び図２を参照して、本発明の実施例によるデジタル情報ディスプレイを用いた電子カタログオンラインサービス提供システムの流れを説明する。
【００３８】
説明の便宜上、電子カタログサービス運営会社は電子カタログサービス運営サーバー１００とし、参加業者は参加業者端末機２００として表現して説明する。
【００３９】
展覧館４００から電子カタログサービス運営サーバー１００に電子カタログサービスの代行を要請すれば、電子カタログサービス運営サーバー１００は要請に応じて展覧館４００にＤＩＤ３００を設置する。
【００４０】
展覧館４００に製品を展示する参加業者端末機２００は、電子カタログサービス運営サーバー１００に電子カタログの製作及びオンラインサービス申し込みを行う。
【００４１】
電子カタログサービス運営サーバー１００は、自ら電子カタログを製作するかあるいは電子カタログ製作業者の外注形態で電子カタログを製作するようにすることが好ましい。
【００４２】
観覧客１０は、展覧館４００を観覧しているうちに電子カタログを申し込むために、ＤＩＤ３００に名刺を認識させることや、直接電子メールを入力するなどして、電子カタログオンライン受信サービスを申し込む。
【００４３】
ＤＩＤ３００は観覧客１０から入力された観覧客の申し込み内容情報を、電子カタログサービス運営サーバー１００に伝送するとともに、申込者情報を格納してデータベース化する。
【００４４】
電子カタログサービス運営サーバー１００は、ＤＩＤ３００から受信した観覧客の申し込み内容を確認して、電子カタログをオンラインで伝送し、発送結果情報を参加業者端末機２００に伝達する。
【００４５】
電子カタログサービス運営サーバー１００が電子カタログを電子メールで伝送するとき、使用者端末機でウィジェットプログラムが実行するようにし、電子カタログを（使用者端末機で）ダウンロードできるように誘導する。これにより、以後に展示会についての実時間情報をウィジェットプログラムによって続けて提供することができることになる。
【００４６】
図３ａ及び図３ｂは本発明の実施例によるデジタル情報ディスプレイ形態の実施例を示す斜視図である。
【００４７】
図３ａに示すように、スタンド型ＤＩＤは、コンテンツを表示するための一つ以上のディスプレイパネル２０ａ、２０ｂが前面に備えられた本体１０ａと、本体１０ａの左右側部に着脱可能で、電子カタログサービスを含むコンテンツ運営のための（複数の）タッチスクリーンユニット１００ａとを含み、タッチスクリーンユニット１００ａは本体１０ａの左右側部に備えられた開口部への結合手段によって着脱される。本体１０ａの下端には、本体１０ａを支持するための一つ以上のコマ２３が備えられた支持ユニット２２が備えられ、本体１０ａの上端には広告露出度（広告観覧の程度）を測定するためのカメラ３０が備えられている。
【００４８】
デジタルディスプレイ装置は、図示されていないが、有無線ネットワークが可能なモジュールを搭載することで、サーバーからのリモートコントロールが可能なものが好ましく、カメラ３０によって露出情報を伝送することができる。
【００４９】
タッチスクリーンユニット１００ａは、コンテンツディスプレイ及び使用者操作命令入力のためのタッチスクリーン１２０と、名刺の挿入によって情報をスキャンして訪問客情報をデータ化するための名刺リーダーユニット１０４と、カードを読み取って会員を認証するためのマグネチックカードリーダーユニット１０６及びＲＦＩＤカードリーダーユニット１１２と、本体１０ａに着脱される結合部（１４５）と、名刺を排出するための名刺排出口１１０と、名刺排出口１１０とＲＦＩＤカードリーダーユニット１１２を除いた空間面に形成され、広告イメージを挿入するためのイメージボード１０８とを含み構成される。
【００５０】
タッチスクリーンユニット１００ａは上端部１０１と下端部１０２に区分可能（別個の構成が可能）であり、タッチスクリーン１２０が備えられた上端部が後方に一定角度で折れた構造に形成されて、使用者がタッチスクリーン１２０を操作するのに有用である。
【００５１】
タッチスクリーンユニット１００ａは電子カタログ申し込みのためのプログラムが組み込まれており、ウェブブラウザー形態でオンラインサービス申し込みが可能であるように構成されることが好ましい。
【００５２】
ディスプレイパネル２０ａ、２０ｂは上下部に分けられ、上下の画面は同時に一つの広告映像を表出し、あるいは独立的に運営して多様なコンテンツを具現することができることになる。
【００５３】
また、ディスプレイパネル２０ａ、２０ｂに３Ｄ用フィルム及びパネルを適用すれば３Ｄコンテンツの運営が可能になる。
【００５４】
名刺リーダーユニット１０４は、名刺投入口に挿入される名刺に表示されたイメージを文字に認識し（イメージ及び文字を認識し）、訪問客情報をファイルとして格納してデータベース化し、挿入された名刺は名刺排出口１１０を通じて排出される。
【００５５】
よって、名刺リーダーユニット１０４を用いて、展示場訪問客に対する芳名録を自動で作成することができることになる。
【００５６】
訪問客はデジタルディスプレイ装置で製品関連コンテンツを見て、該当製品に対する詳細情報の確認のための電子カタログを申し込むために、タッチスクリーンユニット１００ａに備えられたマグネチックカードリーダーユニット１０６またはＲＦＩＤカードリーダーユニット１１２でカードを認識して会員認証を行う。タッチスクリーン１２０で表出される電子カタログ申し込み画面に自分の電子メールを入力して電子カタログを申し込むことができるだけでなく、実際製品の購買も可能である。
【００５７】
本体１０ａの両側に備えられたタッチスクリーンユニット１００ａは、広告実施に必要な可視領域を確保する効果がある。
【００５８】
また、図３ｂに示すように、壁掛け式のＤＩＤは、コンテンツを表示するためのディスプレイパネル２０と、ディスプレイパネル２０の下端に備えられ、電子カタログサービスを申し込むために使用者命令を受けるためのタッチスクリーン１２０と、タッチスクリーン１２０の右側上端に備えられ、カードを読み取って会員認証を行うためのマグネチックカードリーダーユニット１０６及びＲＦＩＤカードリーダーユニット１１２と、マグネチックカードリーダーユニット１０６及びＲＦＩＤカードリーダーユニット１１２の下端に備えられ、名刺挿入によって情報をスキャンして訪問客情報をデータ化するための名刺リーダーユニット１０４と、ディスプレイパネル２０の上端に広告露出度を測定するために配置されたカメラ３０とを含む構造を持つ。
【００５９】
図４は、本発明の実施例による展覧館のデジタル情報ディスプレイ運営のためのフローチャートである。図５は、本発明の実施例による参加業者の電子カタログサービス活用のためのフローチャートである。図６は、本発明の実施例による観覧客の電子カタログオンラインサービス申し込みのためのフローチャートである。図７は、本発明の実施例によるデジタル情報ディスプレイを用いたオンライン伝送サービスのための提供業者のフローチャートである。
【００６０】
図４〜図７を参照して、電子カタログオンラインサービスによる全過程を、以下のように説明する。
【００６１】
図４を参照すれば、展覧館４００は、電子カタログサービス運営サーバー１００に電子カタログサービス代行申し込みを行い（Ｓ３００）、展覧館４００にＤＩＤ３００を設置する（Ｓ３０２）。
【００６２】
この際、（展示館４００は）展示会の主催側に展示場所を賃貸することになり、実際の運営はＤＩＤ３００を運営する会社で代行することになる（Ｓ３０４〜Ｓ３０８）。
【００６３】
図５を参照すれば、広告主、つまり参加業者は参加業者端末機２００によって電子カタログサービス運営サーバー１００に展示参加申し込みを行い（Ｓ４００）、電子カタログ製作サービス申し込みを行う（Ｓ４０２）。
【００６４】
サービス申し込みによって製品に対する電子カタログが製作され、完成品の検収過程によって最終電子カタログが電子カタログサービス運営サーバー１００に格納される（Ｓ４０４）。
【００６５】
参加業者は展示会に参加して、ＤＩＤ３００によって参加業者の電子カタログが提供されるようにし、展示会が終われば、電子カタログオンライン発送及び電子カタログ発送結果情報を確認する（Ｓ４０６〜Ｓ４１０）。
【００６６】
図６を参照すれば、観覧客１０は展覧館４００を訪問して展示会の製品を観覧し、展覧館４００内に設置されたＤＩＤ３００によって電子カタログ申し込みを行う（Ｓ５００〜Ｓ５０４）。
【００６７】
この際、ＤＩＤ３００の名刺リーダーユニットによって名刺を認識させ、又はタッチスクリーンによって電子メールを入力することにより、電子カタログ申し込みを行うことになる（Ｓ５０６）。
【００６８】
展示会の観覧を終え（Ｓ５０８）、使用者端末機によって電子カタログを電子メールで受信することになる（Ｓ５１０）。この際、電子メールの受信と同時に電子カタログウィジェットプログラムが組み込まれることで、展示に係わる情報も確認することができ（Ｓ５１２）、ウィジェットプログラムによって申し込んだ電子カタログもダウンロードすることができる（Ｓ５１４）。
【００６９】
図７を参照すれば、電子カタログ運営会社は、電子カタログオンラインサービスを提供するために、展覧館４００にＤＩＤ３００を設置し（Ｓ６００）、展示参加業者の電子カタログの製作及びオンライン発送サービスを代行することになる（Ｓ６０２）。
【００７０】
業者から検収済みの電子カタログをサーバーに格納し（Ｓ６０４）、ＤＩＤ３００から展示会観覧客の電子カタログオンライン伝送申し込み情報を受信し（Ｓ６０６）、電子カタログサービス申込者についての情報を格納してデータベース化する（Ｓ６０８）。
【００７１】
実時間で電子カタログを伝送するかあるいは展示会が終われば（Ｓ６１０）、一括して電子カタログを含むウィジェットプログラムを電子メールで伝送し（Ｓ６１２）、電子メール発送結果と申込者のダウンロード情報を格納し（Ｓ６１４）、電子メール発送結果及び申込者のダウンロード情報を電子カタログサービス参加業者に伝達する（Ｓ６１６）。
【００７２】
観覧客は展示会場で種々のカタログを受け取って携帯する必要がなく、デジタル化したデータを使用して報告書及び添付資料などの多様な用途に活用することができる。
【００７３】
また、電子カタログサービス用ウィジェットプログラムによって、展示情報及び新規電子カタログ情報などを実時間で受けることができる。また、ウィジェットプログラムによって、必要な製品の電子カタログを直接ダウンロードすることができることになる。
【００７４】
特に、電子カタログは紙、インクなどが不要になって、資源節減及び環境保護の効果があり、廃棄物処理が必要でないので、これによる費用及び問題も発生しなく、永久格納が可能である。
【００７５】
以上のように、本発明を好適な実施例に基づいて図示して説明したが、本発明は実施例に限定されなく、本発明の精神を逸脱しない範囲内で当該発明が属する技術分野で通常の知識を持った者によって本発明の技術思想と添付の特許請求範囲の均等範囲内で多様な修正及び変形が可能であるのはいうまでもない。
【産業上の利用可能性】
【００７６】
本発明は、展覧館に設置されたデジタル情報ディスプレイで、要請された電子カタログをオンライン上で観覧客に提供するためのデジタル情報ディスプレイを用いた電子カタログオンラインサービス提供システム及び方法に適用可能である。
【符号の説明】
【００７７】
１０      観覧客
１００    電子カタログサービス運営サーバー
２００    参加業者端末機
３００    デジタル情報ディスプレイ（ＤＩＤ）
４００    展覧館
【図１】
2011227895.tif 000003
【図２】
2011227895.tif 000004
【図３ａ】
2011227895.tif 000005
【図３ｂ】
2011227895.tif 000006
【図４】
2011227895.tif 000007
【図５】
2011227895.tif 000008
【図６】
2011227895.tif 000009
【図７】
2011227895.tif 000010